(57)【要約】【課題】ファンから送気される風の風量を容易に把握することができる風量監視ユニット、風量監視方法及び熱交換器を提供することを課題とする。【解決手段】シーソー型風量監視ユニットＸは、支持部材２１を介して傾倒可能に支持されたシーソー板２２と、シーソー板２２の一端側に設けられた一端部２３と、シーソー板２２の他端側に設けられた他端部２４と、他端部２４の近接及び離間のうちいずれか一方の場合にＯＮ信号を送信し、他方の場合にＯＦＦ信号を送信するセンサ２６と、センサ２６から送信された信号に基づいて検知結果を報知する報知部と、を備え、一端部２３は、吸気口８又は吹出口１０に対向する位置に配置されており、ファン６によって生じた風によって変位するように構成されており、シーソー板２２の傾倒によってフィルタ７を通る風量が予め設定された風量を超えるか否かを判定することを特徴とする。【選択図】図１
2013125786.tif 000002
【特許請求の範囲】
【請求項１】
ファンと、前記ファンで吸い込んだ空気が流れる流路と、前記流路の一端側に形成された吸気口と、他端側に形成された吹出口と、前記流路に粉塵が流入するのを防ぐフィルタと、を備えた装置に設置された風量監視ユニットであって、
支持部材を介して傾倒可能に支持されたシーソー板と、
前記シーソー板の一端側に設けられた一端部と、
前記シーソー板の他端側に設けられた他端部と、
前記他端部の近接及び離間のうちいずれか一方の場合にＯＮ信号を送信し、他方の場合にＯＦＦ信号を送信するセンサと、
前記センサから送信された信号に基づいて検知結果を報知する報知部と、を備え、
前記一端部は、前記吸気口又は前記吹出口に対向する位置に配置されており、前記ファンによって生じた風によって変位するように構成されており、
前記シーソー板の傾倒によって前記フィルタを通る風量が予め設定された風量を超えるか否かを判定することを特徴とする風量監視ユニット。
【請求項２】
前記装置は、熱交換器であることを特徴とする請求項１又は請求項２に記載の風量監視ユニット。
【請求項３】
ファンと、前記ファンで吸い込んだ空気が流れる流路と、前記流路の一端側に形成された吸気口と、他端側に形成された吹出口と、前記流路に粉塵が流入するのを防ぐフィルタと、を備えた装置における風量監視方法であって、
前記吸気口又は前記吹出口と対向する位置に、前記ファンによって生じた風によって傾倒するシーソー板を配置し、
前記シーソー板の傾倒によって、前記フィルタを通る風量が予め設定された風量を超えるか否かを判定することを特徴とする風量監視方法。
【請求項４】
ファンと、前記ファンで吸い込んだ空気が流れる流路と、前記流路の一端側に形成された吸気口と、他端側に形成された吹出口と、前記流路に粉塵が流入するのを防ぐフィルタと、を備えた熱交換器において、
前記吹出口から吹き出された風又は吸気口に吸い込まれる風を検知して前記フィルタを通る風量を監視する風量監視ユニットが設置されていることを特徴とする熱交換器。
【発明の詳細な説明】
【技術分野】
【０００１】
本発明は、風量監視ユニット、風量監視方法及び熱交換器に関する。
【背景技術】
【０００２】
従来、制御盤の内部を冷却するために、制御盤のキャビネットの一部に熱交換器を設置する技術が知られている。例えば、特許文献１に記載の熱交換器（冷却装置）は、制御盤のキャビネットに設置されたケーシングと、ケーシングを制御盤側と外部側とに二分するフィンと、を備えて構成されている。
【０００３】
熱交換器の制御盤側は、制御盤のキャビネット内の空気を吸気する吸気口と、吸気した空気を前記キャビネット内に吹き出す吹出口と、前記ケーシング内の制御盤側の空気を送気するファンと、を備えている。
【０００４】
一方、熱交換器の外部側は、外部の空気を吸気する吸気口と、吸気した空気を外部に吹き出す吹出口と、前記ケーシング内の外部側の空気を送気するファンとを備えている。特許文献１には記載されていないが、通常、吸気口及び吹出口の少なくとも一方には、ケーシング内に粉塵等が入らないようにフィルタが設置されている。
【先行技術文献】
【特許文献】
【０００５】
【特許文献１】登録実用新案第３０００５３６号公報
【発明の概要】
【発明が解決しようとする課題】
【０００６】
従来の制御盤では、フィルタが目詰まりを起こしたり、吸気口から吹出口までの流路に粉塵が付着したりすると、熱交換器から送気される風量が低下し制御盤内の冷却効率も低下するため、盤内機器の故障に発展するという問題があった。これを防ぐために、熱交換器の点検作業を行っているが、制御盤の設置台数によっては点検作業が煩雑になるという問題があった。
【０００７】
本発明はこのような課題を解決するために創作されたものであり、ファンから送気される風の風量を容易に把握することができる風量監視ユニット、風量監視方法及び熱交換器を提供することを課題とする。
【課題を解決するための手段】
【０００８】
前記課題を解決するため、本発明は、ファンと、前記ファンで吸い込んだ空気が流れる流路と、前記流路の一端側に形成された吸気口と、他端側に形成された吹出口と、前記流路に粉塵が流入するのを防ぐフィルタと、を備えた装置に設置された風量監視ユニットであって、支持部材を介して傾倒可能に支持されたシーソー板と、前記シーソー板の一端側に設けられた一端部と、前記シーソー板の他端側に設けられた他端部と、前記他端部の近接及び離間のうちいずれか一方の場合にＯＮ信号を送信し、他方の場合にＯＦＦ信号を送信するセンサと、前記センサから送信された信号に基づいて検知結果を報知する報知部と、を備え、前記一端部は、前記吸気口又は前記吹出口に対向する位置に配置されており、前記ファンによって生じた風によって変位するように構成されており、前記シーソー板の傾倒によって前記フィルタを通る風量が予め設定された風量を超えるか否かを判定することを特徴とする。
【０００９】
かかる構成によれば、シーソー板の傾倒を利用して、吸気口に吸い込まれる風又は吹出口から吹き出される風を検知するため、ファンから送気される風の風量を容易に把握することができる。また、報知部を備えることで検知結果が外部に報知されるため、点検作業の省力化を図ることができる。
【００１０】
また、前記装置は、熱交換器であることが好ましい。かかる構成によれば、熱交換器の性能の低下を防ぐことができる。
【００１１】
また、本発明は、ファンと、前記ファンで吸い込んだ空気が流れる流路と、前記流路の一端側に形成された吸気口と、他端側に形成された吹出口と、前記流路に粉塵が流入するのを防ぐフィルタと、を備えた装置における風量監視方法であって、前記吸気口又は前記吹出口と対向する位置に、前記ファンによって生じた風の流れによって傾倒するシーソー板を配置し、前記シーソー板の傾倒によって、前記フィルタを通る風量が予め設定された風量を超えるか否かを判定することを特徴とする。
【００１２】
かかる方法によれば、シーソー板の傾倒を利用して、吸気口に吸い込まれる風又は吹出口から吹き出される風を検知するため、ファンから送気される風の風量を容易に把握することができる。
【００１３】
また、本発明は、ファンと、前記ファンで吸い込んだ空気が流れる流路と、前記流路の一端側に形成された吸気口と、他端側に形成された吹出口と、前記流路に粉塵が流入するのを防ぐフィルタと、を備えた熱交換器において、前記吹出口から吹き出された風又は吸気口に吸い込まれる風を検知して前記フィルタを通る風量を監視する風量監視ユニットが設置されていることを特徴とする。
【００１４】
かかる構成によれば、風量監視ユニットによって、熱交換器のファンから送気される風の風量を容易に把握することができる。
【発明の効果】
【００１５】
本発明に係る風量監視ユニット、風量監視方法及び熱交換器によれば、ファンから送気される風の風量を容易に把握することができる。
【図面の簡単な説明】
【００１６】
【図１】第一実施形態に係るシーソー型風量監視ユニット及び風車型風量監視ユニットを示した模式側面図である。
【図２】第一実施形態に係るシーソー型風量監視ユニットの作用を示す模式側面図であって、（ａ）は正常時、（ｂ）は異常時を示す。
【図３】第二実施形態に係るシーソー型風量監視ユニット及び風車型風量監視ユニットを示した模式側面図である。
【発明を実施するための形態】
【００１７】
［第一実施形態］
本発明の第一実施形態について図面を参照して詳細に説明する。本実施形態では、風量監視ユニットを制御盤１の内部を冷却する熱交換器２に設置する場合を例示する。熱交換器２は、制御盤１のキャビネット３に組み付けられている。制御盤１は、複数の配電基盤や操作基盤及びスイッチ基盤（図示省略）等が配設されている。まずは、熱交換器２の構成について説明する。
【００１８】
熱交換器２は、キャビネット３の内部及び外部にそれぞれ露出するケーシング４と、ケーシング４内をキャビネット３の内部側と外部側に二分するフィン５とを備えて構成されている。
【００１９】
熱交換器２の内部側は、内部吸気ファン６と、内部フィルタ７と、内部吸気口８と、内部流路９と、内部吹出口１０とで構成されている。内部吸気ファン６は、吸気用のファンであって、内部吸気口８に設置されている。内部フィルタ７は、内部吸気ファン６よりも内部側（上流側）に設置されており、吸い込まれる空気に混入する粉塵等を捕捉する。内部吸気ファン６で取り込まれた空気は、内部流路９を通って内部吹出口１０からケーシング４の外部（キャビネット３の内部）に吹き出される。
【００２０】
熱交換器２の外部側は、外部吸気ファン１６と、外部フィルタ１７と、外部吸気口１８と、外部流路１９と、外部吹出口２０とで構成されている。外部吸気ファン１６は、吸気用のファンであって、外部吸気口１８に設置されている。外部フィルタ１７は、外部吸気ファン１６よりも外側に設置されており、吸い込まれる空気に混入する粉塵等を捕捉する。外部吸気ファン１６で取り込まれた空気は、外部流路１９を通って外部吹出口２０からケーシング４の外部（キャビネット３の外部）に吹き出される。
【００２１】
キャビネット３内に配設された配電基盤、操作基盤及びスイッチ基盤等から発生する熱によって、キャビネット３内の温度が上昇するが、熱交換器２によれば、フィン５を介してケーシング４の外部側の冷えた空気と、ケーシング４の内部側の温められた空気とが熱交換を行うことで、キャビネット３内の温度を下げることができる。
【００２２】
本実施形態に係る風量監視ユニットは、熱交換器２の内側と外側に１台ずつ設置されている。つまり、熱交換器２の内側にはシーソー型風量監視ユニットＸが設置され、熱交換器２の外側には風車型風量監視ユニットＹが設置されている。
【００２３】
シーソー型風量監視ユニットＸは、熱交換器２の内部吹出口１０から吹き出される風を検知する。シーソー型風量監視ユニットＸは、支持部材２１と、シーソー板２２と、センサ２６とを主に備えて構成されている。
【００２４】
支持部材２１は、シーソー板２２を支持する部材である。支持部材２１の一端側にはマグネット２１ａが設置されている。支持部材２１は、マグネット２１ａを介してケーシング４の内部側の壁面４ａに取り付けられている。支持部材２１は、マグネット２１ａによって着脱自在になっている。
【００２５】
シーソー板２２は、傾倒可能に形成された板状部材である。シーソー板２２の材料は特に限定されないが、本実施形態では合成樹脂で形成されている。シーソー板２２は、シーソー板２２の一端側に設けられ内部吹出口１０から吹き出された風を受ける一端部２３と、シーソー板２２の他端側に設けられた他端部２４と、回転軸となる軸部２５とで構成されている。
【００２６】
一端部２３は、その表面が内部吹出口１０に対向するように配置されている。他端部２４におけるセンサ２６と対向する部位には金属片が取り付けられている。軸部２５は、内部吹出口１０よりも上方に配置されている。また、軸部２５は、シーソー板２２の板幅方向に水平に延設されており、ケーシング４の内部側の壁面４ａと平行になっている。軸部２５は、シーソー板２２の中心ではなく、偏心する位置に形成されている。
【００２７】
つまり、シーソー板２２のうち、軸部２５から一端部２３の先端までの長さは、軸部２５から他端部２４の先端までの長さよりも長くなっている。これにより、例えば、内部吸気ファン６が停止している場合、シーソー板２２がその自重によって鉛直方向と略平行になるようになっている。シーソー板２２のうち一端部２３側の長さ（重さ）を適宜変更することで、どの程度の風量でシーソー板２２が傾倒してセンサ２６に検知されるかを予め設定することができる。なお、一端部２３に錘をつけるなどして調節してもよい。
【００２８】
センサ２６は、他端部２４の近接又は離間を検知する部材である。センサ２６は、支持部材２１に支持されており、シーソー板２２よりもケーシング４側に配置されている。センサ２６は、図示しない報知部と電気的に接続されている。本実施形態では、センサ２６は、他端部２４が近接したことを検知すると報知部にＯＮ信号を送信するように形成されている。また、センサ２６は、他端部２４が離間したことを検知すると報知部にＯＦＦ信号を送信するように形成されている。報知部では、例えば、ＯＦＦ信号を受信した際には、視覚的又は聴覚的に報知するように形成されている。
【００２９】
なお、報知方法については、前記した構成に限定されるものではない。例えば、報知部がＯＮ信号を受信した場合にはモニタ等の表示装置によって「正常」と表示され、ＯＦＦ信号を受信した場合には「異常」と表示されるなど、正常時及び異常時の両方を報知するように構成してもよい。また、正常時にのみ、正常であることを報知するようにしてもよい。また、例えば、他端部２４がセンサ２６に近接した際にＯＦＦ信号、離間した際にＯＮ信号を送信するように構成してもよい。
【００３０】
次に、シーソー型風量監視ユニットＸの作用について説明する。図２の（ａ）に示すように、内部吹出口１０（図１参照）から吹き出される風が予め設定した風量を超える場合（正常時）、シーソー板２２の一端部２３が風に押されて、重量に抗して反時計回りに傾倒する。これにより、シーソー板２２の他端部２４はセンサ２６に近接するため、センサ２６は報知部にＯＮ信号を送信する。
【００３１】
一方、内部吹出口１０（図１参照）から吹き出される風が予め設定した風量を超えない場合（異常時）、シーソー板２２の一端部２３が風で押されなくなるため、その自重により、正常時の位置から時計回りに傾倒する。本実施形態では、異常時にはシーソー板２２が鉛直方向と平行又は平行に近い状態になる。これにより、シーソー板２２の他端部２４がセンサ２６から離間するため、センサ２６は報知部にＯＦＦ信号を送信する。ＯＦＦ信号を受信した報知部は、吹き出される風が所定の風量を超えていないことを視覚的又は聴覚的に報知する。
【００３２】
次に、風車型風量監視ユニットＹについて説明する。風車型風量監視ユニットＹは、図１に示すように、熱交換器２の外部吹出口２０から吹き出される風を検知する。風車型風量監視ユニットＹは、支持部材３１と、風車３２と、発電部３３と、図示しない基板及び報知部で主に構成されている。
【００３３】
支持部材３１は、風車３２及び発電部３３を支持する部材である。支持部材３１の一端側は、ケーシング４の外部側の壁面４ｂに接続されている。支持部材３１の他端側には発電部３３が支持されている。
【００３４】
風車３２は、外部吹出口２０から吹き出された風を受けて回転する部材である。風車３２の正面側が外部吹出口２０に対向するように配置されている。発電部３３は、風車３２の回転エネルギーを電力に変換する部材である。発電部３３は、本実施形態ではモータを用いている。発電部３３は、ライン３４を介して図示しない基板及び報知部に電気的に接続されている。
【００３５】
前記基板には、電圧検知部が形成されており、発電された電圧が予め設定された電圧値を超える場合（正常時）、報知部にＯＮ信号を送信するように形成されている。一方、発電された電圧が予め設定された電圧値を超えない場合（異常時）、報知部にＯＦＦ信号を送信するように形成されている。報知部は、例えば、ＯＦＦ信号を受信した際に、所定の風量を超えていないことを視覚的又は視聴覚的に報知するように形成されている。
【００３６】
なお、報知方法については、前記した構成に限定されるものではない。例えば、報知部がＯＮ信号を受信した場合にはモニタ等の表示装置によって「正常」と表示され、ＯＦＦ信号を受信した場合には「異常」と表示されるなど、正常時及び異常時の両方を報知するように構成してもよい。また、正常時にのみ、正常であることを報知するようにしてもよい。また、例えば、発電された電圧が予め設定された電圧値を超える場合（正常時）、報知部にＯＦＦ信号を送信し、予め設定された電圧値を超えない場合（異常時）、報知部にＯＮ信号を送信するように設定してもよい。
【００３７】
また、基板にボリュームを設置することにより、ＯＮ信号又はＯＦＦ信号を送信する場合の電圧の調節をすることができる。これにより、どの程度の風量で報知させるかを調節することができる。
【００３８】
以上説明したシーソー型風量監視ユニットＸ及び風車型風量監視ユニットＹによれば、ファン（内部吸気ファン６、外部吸気ファン１６）から送気される風の風量を容易に把握することができる。従来、ファンに回転数検知センサ等を設けてファンの回転数に応じて正常又は異常状態を把握する装置が知られているが、このような構成ではフィルタが目詰まりを起こしていたり、流路が閉塞していたりするにも関わらずファンの回転数が低下せず、異常状態を検出できない場合がある。しかし、本実施形態によれば、吹出口（内部吹出口１０、外部吹出口２０）から吹き出される風を検知するため、フィルタ（内部フィルタ７、外部フィルタ１７）の目詰まりや、流路（内部流路９、外部流路１９）の閉塞状態などを把握することができる。
【００３９】
また、シーソー型風量監視ユニットＸによれば、内部吹出口１０から吹き出される風が予め設定された風量を超えるか否かをシーソー板２２の傾倒によって判定することにしたため、簡易な構成にすることができる。また、予め設定した風量を超えない場合、自重で傾倒するようにしたため、より簡易な構成にすることができる。
【００４０】
また、風車型風量監視ユニットＹによれば、外部吹出口２０から吹き出される風が予め設定された風量を超えるか否かを風車３２の回転によって発電される電力で判定する構成にしたため、簡易な構成にすることができる。また、風車型風量監視ユニットＹをキャビネット３の外部側に配置することで、風車３２が回っているか否かをキャビネット３の外部から視覚的にも確認することができる。
【００４１】
以上本発明の実施形態について説明したが、本発明の趣旨に反しない範囲において適宜設計変更が可能である。例えば、本実施形態では、キャビネット３の内側にシーソー型風量監視ユニットＸを設け、外側に風車型風量監視ユニットＹを設置したが、内側に風車型風量監視ユニットＹを設け、外側にシーソー型風量監視ユニットＸを設けてもよい。また、キャビネット３の内側及び外側に、シーソー型風量監視ユニットＸを設定してもよいし、又は、風車型風量監視ユニットＹを設置してもよい。
【００４２】
内部フィルタ７は、内部流路９又は内部吹出口１０に設置されていてもよい。同様に、外部フィルタ１７は、外部流路１９又は外部吹出口２０に設置されていてもよい。
【００４３】
風車型風量監視ユニットＹでは、発電部３３によって発電された電気の電圧を検知するように構成したが、電流又は周波数等を検知するようにしてもよい。
【００４４】
また、キャビネット３の中にサーモスイッチ（図示省略）等を設置して、キャビネット３の内部が予め設定した温度を超えた場合に、熱交換器２が作動するように構成してもよい。また、支持部材２１及び支持部材３１は、キャビネット３に取り付けてもよい。
【００４５】
また、本実施形態では、制御盤１の熱交換器２にシーソー型風量監視ユニットＸ及び風車型風量監視ユニットＹを設置したが、ファンと、フィルタと、前記ファンで吸い込んだ空気が流れる流路と、前記流路の端部に形成された吸気口及び吹出口とを備えた装置であれば、その装置にシーソー型風量監視ユニットＸ又は風車型風量監視ユニットＹを設置してもよい。
【００４６】
［第二実施形態］
次に、本発明の第二実施形態について説明する。図３に示すように、第二実施形態に係る風量監視ユニットでは、風の流れが第一実施形態と反対になる点で相違する。第一実施形態と共通する部分については、同じ符号を付して説明を省略する。
【００４７】
熱交換器２の内部側は、内部排気ファン４６と、内部フィルタ４７と、内部吸気口４８と、内部流路４９と、内部吹出口５０とで構成されている。内部排気ファン４６は、排気用のファンであって、内部吹出口５０に配置されている。内部フィルタ４７は、内部吸気口４８に設置されており、吸い込まれる空気に混入する粉塵等を捕捉する。内部排気ファン４６で取り込まれた空気は、内部流路４９を通って内部吹出口５０からケーシング４の外部（キャビネット３の内部）に吹き出される。
【００４８】
熱交換器２の外部側は、外部排気ファン５６と、外部フィルタ５７と、外部吸気口５８と、外部流路５９と、外部吹出口６０とで構成されている。外部排気ファン５６は、排気用のファンであって、外部吹出口６０に設置されている。外部フィルタ５７は、外部吸気口５８に設置されており、吸い込まれる空気に混入する粉塵等を捕捉する。外部排気ファン５６で取り込まれた空気は、外部流路５９を通って外部吹出口６０からケーシング４の外部（キャビネット３の外部）に吹き出される。
【００４９】
本実施形態に係る風量監視ユニットは、熱交換器２の内側と外側に１台ずつ設置されている。つまり、熱交換器２の内側にはシーソー型風量監視ユニットＸ１が設置され、熱交換器２の外側には風車型風量監視ユニットＹ１が設置されている。
【００５０】
シーソー型風量監視ユニットＸ１は、熱交換器２の内部吸気口４８に吸い込まれる風を検知する。シーソー型風量監視ユニットＸ１は、支持部材２１と、シーソー板２２と、センサ２６とを主に備えて構成されている。
【００５１】
シーソー板２２は、傾倒可能に形成された板状部材である。シーソー板２２の材料は特に限定されないが、本実施形態では合成樹脂で形成されている。シーソー板２２は、シーソー板２２の一端側に設けられ内部吸気口４８付近に作用する負圧によって吸い寄せられる一端部２３と、シーソー板２２の他端側に設けられた他端部２４と、回転軸となる軸部２５とで構成されている。
【００５２】
一端部２３は、その表面が内部吸気口４８に対向するように配置されている。他端部２４におけるセンサ２６と対向する部位には金属片が取り付けられている。軸部２５は、内部吸気口４８よりも上方に配置されている。また、軸部２５は、シーソー板２２の板幅方向に水平に延設されており、ケーシング４の内部側の壁面４ａと平行になっている。軸部２５は、シーソー板２２の中心ではなく、偏心する位置に形成されている。
【００５３】
つまり、シーソー板２２のうち、軸部２５から一端部２３の先端までの長さは、軸部２５から他端部２４の先端までの長さよりも長くなっている。これにより、例えば、内部排気ファン４６が停止している場合、シーソー板２２がその自重によって鉛直方向と略平行になるようになっている。シーソー板２２のうち一端部２３側の長さ（重さ）を適宜変更することで、内部吸気口４８付近に負圧が作用して、一端部２３がどの程度内部吸気口４８側に吸い寄せられた場合にセンサ２６に検知されるかを予め設定することができる。なお、一端部２３に錘をつけるなどして調節してもよい。
【００５４】
センサ２６は、他端部２４の近接又は離間を検知する部材である。センサ２６は、支持部材２１に支持されており、シーソー板２２に対してケーシング４とは反対側に配置されている。センサ２６は、図示しない報知部と電気的に接続されている。
【００５５】
次に、シーソー型風量監視ユニットＸ１の作用について説明する。図３に示すように、内部吸気口４８に吸い込まれる風が予め設定した風量を超える場合（正常時）、シーソー板２２の一端部２３が内部吸気口４８側に吸い寄せられて、重力に抗して時計回りに傾倒する。これにより、シーソー板２２の他端部２４はセンサ２６に近接するため、センサ２６は報知部にＯＮ信号を送信する。
【００５６】
一方、内部吸気口４８に吸い込まれる風が予め設定した風量を超えない場合（異常時：点線で描画している）、シーソー板２２の一端部２３が吸い寄せられなくなるため、その自重により、正常時の位置から反時計回りに傾倒する。本実施形態では、異常時にはシーソー板２２が鉛直方向と平行又は平行に近い状態になる。これにより、シーソー板２２の他端部２４がセンサ２６から離間するため、吸い込まれる風が予め設定した風量を超えていないことを視覚的又は聴覚的に報知する。
【００５７】
次に、風車型風量監視ユニットＹ１について説明する。風車型風量監視ユニットＹ１は、図３に示すように、熱交換器２の外部吸気口５８に吸い込まれる風を検知する。風車型風量監視ユニットＹ１は、支持部材３１と、風車３２と、発電部３３と、図示しない基板及び報知部で主に構成されている。
【００５８】
風車３２は、外部吸気口５８付近に負圧が作用することにより、外部吸気口５８に吸い込まれる風によって回転する部材である。風車３２の正面側が外部吸気口５８に対向するように配置されている。発電部３３は、風車３２の回転エネルギーを電力に変換する部材である。発電部３３は、本実施形態ではモータを用いている。発電部３３は、ライン３４を介して図示しない基板及び報知部に電気的に接続されている。
【００５９】
前記基板には、電圧検知部が形成されており、発電された電圧が予め設定された電圧値を超える場合（正常時）、報知部にＯＮ信号を送信するように形成されている。一方、発電された電圧が予め設定された電圧値を超えない場合（異常時）、報知部にＯＦＦ信号を送信するように形成されている。報知部は、例えば、ＯＦＦ信号を受信した際に、所定の風量を超えていないことを視覚的又は視聴覚的に報知するように形成されている。
【００６０】
ここで、内部吸気口４８に吸い込まれる風の風量は、内部排気ファン４６から送気される風の風量と略同等であると考えられる。また、外部吸気口５８に吸い込まれる風の風量は、外部排気ファン５６から送気される風の風量と略同等であると考えられる。したがって、以上説明したシーソー型風量監視ユニットＸ１及び風車型風量監視ユニットＹ１によれば、ファン（内部排気ファン４６、外部排気ファン５６）から送気される風の風量を容易に把握することができる。従来、ファンに回転数検知センサ等を設けてファンの回転数に応じて正常又は異常状態を把握する装置が知られているが、このような構成ではフィルタが目詰まりを起こしていたり、流路が閉塞していたりするにも関わらずファンの回転数が低下せず、異常状態を検出できない場合がある。
【００６１】
しかし、本実施形態によれば、吸気口（内部吸気口４８、外部吸気口５８）に吸い込まれる風、つまり、吹出口（内部吹出口５０、外部吹出口６０）から吹き出される風を検知するため、フィルタ（内部フィルタ４７、外部フィルタ５７）の目詰まりや、流路（内部流路４９、外部流路５９）の閉塞状態などを把握することができる。
【００６２】
また、シーソー型風量監視ユニットＸ１によれば、内部吸気口４８に吸い込まれる風が予め設定された風量を超えるか否かをシーソー板２２の傾倒によって判定することにしたため、簡易な構成にすることができる。また、予め設定した風量を超えない場合、自重で傾倒するようにしたため、より簡易な構成にすることができる。
【００６３】
また、風車型風量監視ユニットＹ１によれば、外部吸気口５８に吸い込まれる風が予め設定された風量を超えるか否かを風車３２の回転によって発電される電力で判定する構成にしたため、簡易な構成にすることができる。また、風車型風量監視ユニットＹ１をキャビネット３の外部側に配置することで、風車３２が回っているか否かをキャビネット３の外部から視覚的にも確認することができる。
【符号の説明】
【００６４】
１        制御盤
２        熱交換器
３        キャビネット
４        ケーシング
５        フィン
６        内部吸気ファン（ファン）
７        内部フィルタ（フィルタ）
８        内部吸気口（吸気口）
９        内部流路（流路）
１０      内部吹出口（吹出口）
１６      外部吸気ファン（ファン）
１７      外部フィルタ（フィルタ）
１８      外部吸気口（吸気口）
１９      外部流路（流路）
２０      外部吹出口（吹出口）
２１      支持部材
２２      シーソー板
２３      一端部
２４      他端部
２５      軸部
２６      センサ
３１      支持部材
３２      風車
３３      発電部
Ｘ        シーソー型風量監視ユニット
Ｙ        風車型風量監視ユニット
【図１】
2013125786.tif 000003
【図２】
2013125786.tif 000004
【図３】
2013125786.tif 000005